(57)【特許請求の範囲】
【請求項１】
設定データを記憶するメモリと、メモリカードを接続可能なカードコネクタとを具え、該カードコネクタに差し込まれ、複数の商品番号と商品番号別の飲料データとを記憶しているメモリカードからデータを読み込み、その中の特定の商品番号を表示器に表示させた状態で、該商品番号の飲料の割り付け先の商品選択ボタンを押すことにより商品番号に対応する飲料データを読み込み、読み込んだ飲料データを前記メモリの所定のエリアに書き込むことで自動的に設定が行われるようにしたことを特徴とするカップ式自動販売機。
【発明の詳細な説明】
【０００１】
【発明の属する技術分野】
本発明は、シロップ，水等の複数の原材料を調合して飲料を作り、それをカップに入れて販売するカップ式自動販売機に関するものである。
【０００２】
【従来の技術】
カップ式自動販売機においては、コーラ等の各種炭酸飲料，各種ジュース，コーヒー等のシロップや粉末と、水，炭酸ガス，砂糖，クリーム，氷等とを調合し、それを紙製のカップに入れて販売する。その調合割合は、飲料データとして、予め自動販売機内のメモリに飲料別に設定しておき、販売時には、それに基づいて原材料の調合を行う。
【０００３】
そのようなカップ式自動販売機において、販売する飲料の種類を変更する場合や、飲料の種類は変更しないが、味を変えたい場合には、メモリの飲料データを設定し直す必要がある。その作業は、自動販売機内部にある図４に示すような入力装置６を操作して行う。入力装置６は、データ表示器７とキーボード８とを具えていて、データ表示器７に必要事項を表示させながら、キーボード８を操作して設定を行う。
【０００４】
ところで、同一機種の自動販売機が多数設置されていて、それらの飲料データを設定する場合、それぞれの自動販売機について、同じ設定操作を繰り返し行うのは手間がかかる。そこで、携帯型のデータ設定器を使って飲料データ設定済みの自動販売機から飲料データを読み出して記憶させ、そのデータ設定器を他の自動販売機に接続して、それに記憶させている飲料データを書き込むようにすることも行われている。そのようにすれば、多数の同一機種の自動販売機への飲料データの設定がある程度効率的に行える。
【０００５】
なお、このようなカップ式自動販売機に関連する従来の文献としては、例えば、特開平5-159158号公報(G07F 13/00)がある。
【０００６】
【発明が解決しようとする課題】
しかしながら、上記した従来のカップ式自動販売機の内、入力装置６を操作して飲料データを設定するものでは、設定に時間がかかって効率が悪いという問題点があった。また、データ設定器を使用するものでは、最初の１台は、自動販売機の入力装置を使って設定する必要があるため、手間がかかるという問題点があった。しかも、ある一部の飲料の飲料データのみを設定したい場合でも、全ての飲料データを一括して書き込む必要があるため、書き込みに必要以上に時間がかかるという問題点があった。
【０００７】
本発明は、そのような問題点を解決し、自動販売機への飲料データの設定を効率的に行えるようにすることを目的とするものである。
【０００８】
【課題を解決するための手段】
前記課題を解決するため、本発明のカップ式自動販売機は、設定データを記憶するメモリと、メモリカードを接続可能なカードコネクタとを具え、該カードコネクタに差し込まれ、複数の商品番号と商品番号別の飲料データとを記憶しているメモリカードからデータを読み込み、その中の特定の商品番号を表示器に表示させた状態で、該商品番号の飲料の割り付け先の商品選択ボタンを押すことにより商品番号に対応する飲料データを読み込み、読み込んだ飲料データを前記メモリの所定のエリアに書き込むことで自動的に設定が行われるようにしたことを特徴とする。このようにすると、飲料データの設定が効率的に行えるようになる。
【０００９】
【発明の実施の形態】
以下、本発明の実施の形態を図面に基づいて詳細に説明する。
図１は、本発明のカップ式自動販売機の制御ブロック図である。主制御部１は、入力制御部５，接客制御部９，販売制御部１２，硬貨処理制御部１３等、自動販売機の各部を制御する端末制御部を統括して制御する。その主制御部１は、各種設定データを記憶するメモリ２を有しており、また、カードコネクタ３が設けられていて、それにメモリカード４が接続可能になっている。
【００１０】
入力制御部５には、データ表示器７とキーボード８を具えた入力装置６が接続されており、データ表示器７に必要な事項を表示させながらキーボード８を操作することにより、各種のデータ設定が行われる。接客制御部９は、自動販売機前面に設けられている商品選択ボタン１０と金額表示器１１が接続されており、どの商品選択ボタン１０が押されたかを主制御部１に通知し、また、硬貨投入口（図示せず）に投入された金額を金額表示器１１に表示させたりする。
【００１１】
販売制御部１２は、主制御部１からの指令に基づいて、各種飲料を調合してからカップに入れて販売する。硬貨処理制御部１３は、硬貨投入口に投入された硬貨の識別を行い、その結果を主制御部１に通知する。
【００１２】
一方、メモリカード４には、図２に示すように、カップ式自動販売機で販売する飲料の商品名，商品番号，価格，１回毎の販売量，各原材料の配合量等の飲料データが飲料毎に記憶されている。これらの飲料データは、パソコン等を使って予めメモリカード４に書き込まれる。
【００１３】
主制御部１は、キーボード８の選択キー（図４参照）が押され、それによりデータ表示器７にメニューが表示され、その中から飲料番号と選択ボタンとの設定モードが選択されると、選択ボタンに対応させて飲料データを設定するためのモードである飲料設定モードに入る。次に、飲料設定モードにおける設定処理手順を、フローチャートを使って説明する。
【００１４】
図３は、飲料設定モードにおける設定処理手順を示すフローチャートである。  ステップ１…メニューの中から飲料番号と選択ボタンとの設定モードが選択された結果、飲料設定モードに入る。
ステップ２…キーボード８の終了キーが押されたか否かを判別する。
ステップ３…終了キーが押されなければ、カードコネクタ３にメモリカード４が差し込まれているか否かを判別する。
【００１５】
ステップ４…メモリカード４が差し込まれていれば、その中から商品番号を読み込んでデータ表示器７に表示する。
ステップ５…表示されたものの中から、設定すべき飲料の商品番号を選択する。その後、操作者は、その飲料を割り当てる商品選択ボタン１０を押す。
ステップ６…押された商品選択ボタン１０を確認する。
【００１６】
ステップ７…ステップ５で選択された商品番号をメモリカード４の中から検索する。
ステップ８…メモリカード４からその商品番号に対応する飲料データを読み込む。
ステップ９…メモリ２の中の、ステップ６で確認した商品選択ボタン１０に割り付けられる飲料の飲料データを格納するエリアを確認する。
ステップ１０…ステップ８で読み込んだ飲料データを、ステップ９で確認したメモリ２のエリアに書き込む。
【００１７】
ステップ１１…ステップ３でメモリカード４が差し込まれていなかったら、入力装置６のデータ表示器７にカードがない旨の表示を行い、処理を終了する。
【００１８】
このようにすれば、メモリカード４から必要なデータを読み込んで自動販売機のメモリ２に書き込むだけで、各飲料について多数の設定項目を有する飲料データの設定が一括してでき、しかも設定が必要な飲料データのみを選択的に設定できて、飲料データの設定を非常に効率よく行うことができる。また、全ての飲料データをメモリカード４で持つため、自動販売機側では、不要な飲料データを記憶させておく必要がなくなる。
【００１９】
なお、上記実施形態では、カードコネクタ３に差し込まれたメモリカード４から商品番号を読み込んでデータ表示器７に表示し、その中から、設定すべき飲料の商品番号を選択するようにしたが、キーボード８により商品番号を入力して、設定すべき飲料の商品番号を選択するようにしてもよい。また、一つの飲料データの設定が終わった段階で、どの商品番号の飲料が、どの選択ボタンに割り付けられたかを操作者に知らせるため、自動販売機前面にある金額表示器１１に、商品番号と選択ボタン番号とを交互に表示させるようにしてもよい。あるいはまた、選択ボタンに内蔵されている販売可能ランプ等の点灯もしくは点滅表示をさせるようにしてもよい。
【００２０】
【発明の効果】
本発明は、以上説明したように構成されているので、次に記載するような効果を奏する。
すなわち、本発明のカップ式自動販売機は、メモリカードからデータを読み込み、その中の特定の商品番号を表示器に表示させた状態で、該商品番号の飲料の割り付け先の商品選択ボタンを押すことにより商品番号に対応する飲料データを読み込み、読み込んだ飲料データを前記メモリの所定のエリアに書き込むことで自動的に設定が行われるようにしたので、飲料データの設定を効率的に行うことができる。
【図面の簡単な説明】
【図１】  本発明のカップ式自動販売機の制御ブロック図である。
【図２】  メモリカードの記憶内容を示す図である。
【図３】  飲料設定モードにおける設定処理手順を示すフローチャートである。
【図４】  カップ式自動販売機の入力装置を示す図である。
【符号の説明】
３…カードコネクタ
６…入力装置
７…データ表示器
１０…商品選択ボタン
１１…金額表示器
１４…データバス
【図１】
0003924905.tif 000002
【図２】
0003924905.tif 000003
【図３】
0003924905.tif 000004
【図４】
0003924905.tif 000005